(57)【特許請求の範囲】
【請求項１】
階上外壁パネルと階下外壁パネルとの間の階間胴差部において、透湿防水シートが、その上縁側を胴差の上面に貼り付け、胴差の屋外側を垂れ下げられ、下縁側を、下階外壁パネルの上端のＬ字状の水切り板の垂直辺の屋外側の面部及び／又は水平辺の上面に貼り付けて備えられ、階間胴差部を止水していることを特徴とする階間胴差部の止水構造。
【請求項２】
階上外壁パネルの外壁面材背面側の下地材が、胴差の上端面よりも下方に突出し、透湿防水シートが該下地材の背面側に沿うようにして胴差のウェブの屋外側を垂れ下げられて、透湿防水シートと階上外壁パネルとの間からの水の侵入が阻止されるようになされている請求項１に記載の階間胴差部の止水構造。
【発明の詳細な説明】
【０００１】
【発明の属する技術分野】
本発明は、階間胴差部の止水構造に関する。
【０００２】
【従来の技術】
住宅等の複数階建ての建物において、階上外壁材と階下外壁材との間の階間胴差部の止水は、従来、ピースものの水切り金物を用い、この水切り金物を横方向につないでいくことにより行われていた。
【０００３】
【発明が解決しようとする課題】
しかしながら、上記のような水切り金物を用いた止水構造では、水切り金物同士を横方向につないでいかなければならず、つなぎ目の止水性能を確保するのがなかなかに難しいという問題があった。
【０００４】
また、水切り金物は、施工状態において外に接しているため、結露による問題を生じさせてしまうおそれがあるということもあった。
【０００５】
更に、階間部には、バルコニーの腕木が取り付けられることもあり、その場合には、水切り金物を用いた止水構造では、バルコニー腕木等役物部での止水処理が非常に厄介なものになってしまうという問題があった。
【０００６】
本発明は、上記のような従来の問題点に鑑み、施工が容易でしかも高い止水性能を確保することができ、結露による問題を発生させることもなく、また、各種役物部での止水処理も容易に行うことができる階間胴差部の止水構造を提供することを課題とする。
【０００７】
【課題を解決するための手段】
上記の課題は、階上外壁材と階下外壁材との間の階間胴差部が透湿防水シートで止水されていることを特徴とする階間胴差部の止水構造によって解決される。
【０００８】
この止水構造では、階間胴差部を透湿防水機能を備えたシート材で止水するものであるから、ピースものの水切り金物をつないでいく場合のような厄介な施工を行う必要はなく、施工を容易に行っていくことができ、しかも、透湿防湿シートそれ自体で高い止水性能を確保することができるのみならず、シート同士をつなぐ場合があっても、つなぎ目において高い止水性能を容易に確保しつつつないでいくことができる。また、結露による問題を発生することもないし、バルコニー腕木等の役物部での処理は、透湿防水シートそれ自体の加工性の良さによって容易に行っていくことができる。
【０００９】
化粧板が、屋外側から、階間胴差部を隠すように配設されている場合は、止水は透湿防水シートで簡易に行い、階間胴差部は、透湿防水シートで止水した部分を化粧板で隠すようにするだけでよいから、階間胴差部の施工を容易に遂行することができ、それでいて、階間胴差部の外観体裁を良好なものにすることができる。
【００１０】
【発明の実施の形態】
次に、本発明の実施形態を図面に基づいて説明する。
【００１１】
図１乃至図３に示す実施形態の階間胴差部止水構造において、１は胴差、２は１階外壁パネル、３は２階外壁パネル、４は止水のための透湿防水シートである。
【００１２】
胴差１は、上下のフランジ１ａ，１ｂとこれらフランジ１ａ，１ｂをつなぐウェブ１ｃとを備えた屋内側開放の溝形鋼からなっている。
【００１３】
外壁パネル２，３はそれぞれ、外壁面材２ａ，３ａと、外壁面材２ａ，３ａの背面部に備えられた下地材２ｂ，３ｂと、下地材２ｂ，３ｂの更に背面側に備えられたパネルフレーム２ｃ，３ｃとで構成されている。下地材２ｂ，３ｂは、発泡ポリスチレンなどの発泡材などからなる。パネルフレーム２ｃ，３ｃは、鋼製のものなどからなり、例えば溝形鋼を内向きにして方形環状に組んだものなどが用いられる。
【００１４】
１階外壁パネル２は、そのフレーム２ｃが、その上端面を胴差１の下フランジ１ｂの下面に沿わせるようにして配置され、ボルト等の締結部材で胴差１に結合されており、また、１階外壁パネル２の下地材２ｂの上端は、外壁面材２ａ及びパネルフレーム２ｃの上端よりも上方に突出するように備えられ、下地材２ｂの上端が胴差１のウェブ１ｃの屋外側の面に沿って所定の高さ寸法立ち上がって配置されるようになっている。
【００１５】
また、２階外壁パネル３は、そのフレーム３ｃが、その下端面を胴差１の上フランジ１ａの上面に沿わせるように配置されてボルト等の締結部材で胴差１に結合されており、２階外壁パネル３の下地材３ｂの下端は、外壁面材３ａ及びパネルフレーム３ｃの下端よりも下方に突出するように備えられ、下地材３ｂの下端が胴差１のウェブ１ｃの屋外側の面に沿って所定の高さ寸法下がって配置されるようになっている。
【００１６】
そして、１階外壁パネル２の上端部において、外壁面材２ａと下地材２ｂの段差部分には、Ｌ字状の水切り板５が沿わされて取り付けられ、この水切り板５には、外壁面材２ａの屋外側の面に若干寸法だけ垂れ下がる垂下縁部５ａが備えられている。
【００１７】
透湿防水シート４は、巻回及び／又は折り畳み可能なシート材からなっていて、例えば、デュポン社製のタイベック（商品名）などが用いられる。この透湿防水シート４は、胴差１の上フランジ１ａの上面を上縁側の貼り代にして貼り付けられ、２階外壁パネル３の下地材３ｂの背面側に沿うようにして胴差１のウェブ１ｃの屋外側を垂れ下げられ、下縁側が水切り板５の垂直辺の屋外側の面及び／又は水平辺の上面に貼り付けられている。
【００１８】
なお、６は階間部断熱材であり、これは発泡ポリスチレンなどの発泡材からなり、透湿防水シート４と胴差１のウェブ１ｃとの間に介装されている。
【００１９】
また、７は押出ケイカル板などからなる化粧胴水切りであり、階間胴差部において、透湿防水シート４の外側に位置して備えられ、更に、この化粧胴水切り７の外側に化粧板８が取り付けられ、この化粧板８が、１階外壁パネル２の外壁面材２ａの上縁部と２階外壁パネル３の外壁面材３ａの下縁部を屋外側から隠すようにして、１階、２階の外壁パネル２，３間に横目地なしで渡され、１階外壁パネル２の外壁面材２ａと化粧胴水切り７との間の横目地、及び、２階外壁パネル３の外壁面材３ａと化粧胴水切り７との間の横目地が、化粧板８で隠され、階間胴差部において横目地の視認されないスッキリとした外観を得られるようになされている。
【００２０】
上記の階間胴差部止水構造では、透湿防水シート４が、胴差１の上面と１階外壁パネル２の上端の水切り板５とに渡されて貼り付けられているので、胴差１の上端から、１階外壁パネル２の上端にわたる部分、即ち階間胴差部が、この透湿防水シート４で止水される。なお、本実施形態では、２階外壁パネル３の下地材３ｂが同パネル３のフレーム３ｃの下端面より下方に突出し、胴差１の上端面よりも下方に突出していることで、透湿防水シート４と２階外壁パネル３との間からの水の侵入が防がれるようになっている。
【００２１】
この止水構造の施工は、例えば、図４及び図５に示すようにして行うことができる。即ち、１階外壁パネル２を胴差１に取り付けるのと相前後して、図４（イ）に示すように、Ｌ字状の水切り板５を１階外壁パネル２の上端部に取り付ける。そして、図４（ロ）に示すように、隣り合う１階パネル２，２間には、水密材９を挿入しておき、図４（ハ）及び図５（ニ）に示すように、横方向に隣り合うＬ字状の水切り板５，５間は、渡し用の水切り板１０を両水切り板５，５に渡すようにして下地材２ｂの上端部に嵌合して取り付ける。しかる後、図５（ホ）に示すように、透湿防水シート４を胴差１と水切り板５とに渡すように貼り付ければよい。
【００２２】
透湿防水シート４は、巻回及び／又は折り畳み可能な性質を有していることから、長尺のものを用いることもでき、即ち、１枚の外壁パネルの幅寸法を優に超える長尺のシートを用いて施工することも可能であり、この透湿防水シート４を、横方向に継ぎ目なく、あるいは、継ぎ目をつくる場合でも、その継ぎ目の数を少なくしてつないでいくことができ、また、継ぎ目をつくる場合であっても、継ぎ目部の防水を防水テープなどを用いたり、あるいは、側縁部に設けた粘着剤層などを利用して、止水状態に容易につないでいくことができ、つなぎ目をしっかりとした止水状態にしながら、階間胴差部の止水の施工を容易に遂行していくことができる。結露の発生の心配もない。
【００２３】
図６は、上記の止水構造を採用した階間部において、この階間胴差部からバルコニーの腕木１１が突出している部分を示している。この部分では、透湿シート４に切込み４ａが入れられ、この切込み４ａを通じてバルコニー腕木１１を外に突出させている。そして、腕木１１と透湿防水シート４との間の隙間は防水テープ１２で塞がれている。なお、１３ａ，１３ｂは上下のジョイント水切りである。このように、透湿防水シート４を用いることで、バルコニー腕木等の役物部をしっかりとした止水状態にすることができ、しかも、その施工を容易に行うことができる。
【００２４】
以上に、本発明の実施形態を示したが、本発明はこれに限られるものではなく、発明思想を逸脱しない範囲で、各種の変更が可能である。例えば、上記の実施形態では、建物の１階と２階の間の階間を対象としているが、３階建て以上の建物の場合には、２階と３階の間など、要は、階と階の間に用いることができるものであることはいうまでもない。また、透湿防水シートとして、各種態様のものが用いられてよいし、透湿防水シートの取付けも各種態様で行われてよい。
【００２５】
【発明の効果】
本発明は、以上のとおりのものであるから、施工が容易でしかも高い止水性能を確保することができ、結露による問題を発生させることもなく、また、各種役物部での止水処理も容易に行うことができる。
【図面の簡単な説明】
【図１】階間胴差部の止水構造の実施形態を示す断面図である。
【図２】同断面斜視図である。
【図３】同分解断面斜視図である。
【図４】図（イ）乃至図（ハ）は、図５とともに、施工方法を順次に示す斜視図である。
【図５】図（ニ）及び図（ホ）は、図４とともに、施工方法を順次に示す斜視図である。
【図６】バルコニー腕木部分における階間胴差部の止水構造を示す断面正面図である。
【符号の説明】
１…胴差
２…１階外壁パネル（階下外壁材）
３…２階外壁パネル（階上外壁材）
４…透湿防水シート
８…化粧板
【図１】
0004566423.tif 000002
【図２】
0004566423.tif 000003
【図３】
0004566423.tif 000004
【図４】
0004566423.tif 000005
【図５】
0004566423.tif 000006
【図６】
0004566423.tif 000007